【手続補正書】
【提出日】平成30年1月15日(2018.1.15)
【手続補正１】
【補正対象書類名】特許請求の範囲
【補正対象項目名】請求項１
【補正方法】変更
【補正の内容】
【請求項１】
塵埃を吸引する吸引風を発生させる電動送風機を備えた本体と、
前記電動送風機の駆動の入り切りを操作入力する入り切りスイッチを備えた操作部を有し、一端に塵埃を吸引するための吸込み具が設けられ、他端に前記本体と着脱可能に接続する接続部が設けられたホース体と、
前記本体に設けられ、前記電動送風機に電力を供給し駆動を制御する制御手段を内包する制御基板と、を備え、
前記本体の、前記電動送風機が発生する吸引風の吸込み側に前記ホース体の前記接続部を接続する第１のホース体接続口が設けられ、
前記本体の、前記電動送風機が発生する吸引風の排出側に前記ホース体の前記接続部を接続する第２のホース体接続口が設けられ、
前記制御手段は、前記ホース体の前記接続部が前記第１のホース体接続口あるいは前記第２のホース体接続口の何れに接続されても、前記入り切りスイッチの操作入力により前記電動送風機の駆動の入り切りを制御できることを特徴とする電気掃除機。
【手続補正２】
【補正対象書類名】特許請求の範囲
【補正対象項目名】請求項５
【補正方法】変更
【補正の内容】
【請求項５】
前記ホース体の前記吸込み具は、被清掃面の塵埃をかきあげる回転ブラシを駆動するための回転ブラシ用電動機を有し、
前記ホース体の前記接続部を前記第１のホース体接続口に接続したときは、
前記ホース体の前記接続部側に設けられ、前記回転ブラシ用電動機と電気的に接続された第３の接続端子と、前記第１のホース体接続口側に設けられ、前記制御基板と電気的に接続された第３の接続端子受けが接続されて前記制御基板の電力配線から前記回転ブラシ用電動機に電力を供給する電力供給配線が結線され、前記回転ブラシ用電動機に電力が供給可能な状態となり、
前記ホース体の前記接続部を前記第２のホース体接続口に接続したときは、
前記第２のホース体接続口側には、前記第３の接続端子と接続される前記制御基板と電気的に接続された第６の接続端子受けが無いか、あるいは前記第２のホース体接続口側に設けられた前記第６の接続端子受けが前記制御基板と電気的に接続されておらず、前記制御基板の電力線から前記回転ブラシ用電動機に電力を供給する電力供給配線が結線されずに、前記回転ブラシ用電動機に電力が供給可能な状態とならないことを特徴とする請求項４に記載の電気掃除機。
【手続補正３】
【補正対象書類名】特許請求の範囲
【補正対象項目名】請求項６
【補正方法】変更
【補正の内容】
【請求項６】
前記第２のホース体接続口には、前記ホース体が接続されたことを検知する検知手段が設けられていて、
前記検知手段は、前記ホース体が前記第２のホース体接続口に接続されたときに前記第３の接続端子を検知するものであり、
前記制御手段は、前記検知手段が前記第３の接続端子を検知すると、前記ホース体が前記第２のホース体接続口に接続されたと判断することを特徴とする請求項５に記載の電気掃除機。
【手続補正４】
【補正対象書類名】特許請求の範囲
【補正対象項目名】請求項７
【補正方法】変更
【補正の内容】
【請求項７】
前記第２のホース体接続口には、前記ホース体が接続されたことを検知する検知手段が設けられていて、
前記検知手段は、前記ホース体が前記第２のホース体接続口に接続されたときに前記第１の接続端子あるいは前記第２の接続端子あるいは前記第３の接続端子の何れかを検知するものであり、
前記制御手段は、前記検知手段が前記第１の接続端子あるいは前記第２の接続端子あるいは前記第３の接続端子の何れかを検知すると、前記ホース体が前記第２のホース体接続口に接続されたと判断することを特徴とする請求項５に記載の電気掃除機。
【手続補正５】
【補正対象書類名】特許請求の範囲
【補正対象項目名】請求項１４
【補正方法】変更
【補正の内容】
【請求項１４】
前記ホース体の前記接続部には係止用フックが設けられ、前記第１のホース体接続口及び前記第２のホース体接続口には、それぞれ前記係止用フックが係合する係合部が設けられていて、前記第３の接続端子は前記係止用フックに一番近い位置に設けられていることを特徴とする請求項５〜請求項７何れか１項に記載の電気掃除機。
【手続補正６】
【補正対象書類名】特許請求の範囲
【補正対象項目名】請求項１５
【補正方法】変更
【補正の内容】
【請求項１５】
前記本体内に、前記電動送風機の排気風が通過可能な通風経路を有し、該通風経路内にフィルターが設けられ、前記第２のホース体接続口側に設けられた前記それぞれの接続端子受けは、前記フィルターを通過した排気風が通過する経路に設けられていることを特徴とする請求項４〜請求項７何れか１項に記載の電気掃除機。
【手続補正７】
【補正対象書類名】特許請求の範囲
【補正対象項目名】請求項１６
【補正方法】変更
【補正の内容】
【請求項１６】
前記電動送風機が発生する吸引風の排出側である前記第２のホース体接続口に、開閉可能で通気可能なカバー部材を設け、
前記第２のホース体接続口に前記カバー部材の開閉状態を検知する検知手段を設けて、
前記検知手段が、前記カバー部材が閉じていることを検知した場合、前記制御手段は前記第２のホース体接続口に前記ホース体の前記接続部が接続されていないと判断することを特徴とする請求項１〜請求項５何れか１項に記載の電気掃除機。
【手続補正８】
【補正対象書類名】明細書
【補正対象項目名】０００７
【補正方法】変更
【補正の内容】
【０００７】
課題を解決する本発明に係る電気掃除機は、塵埃を吸引する吸引風を発生させる電動送風機を備えた本体と、電動送風機の駆動の入り切りを操作入力する入り切りスイッチを備えた操作部を有し、一端に塵埃を吸引するための吸込み具が設けられ、他端に本体と着脱可能に接続する接続部が設けられたホース体と、本体に設けられ、電動送風機に電力を供給し駆動を制御する制御手段を内包する制御基板と、を備え、本体の、電動送風機が発生する吸引風の吸込み側にホース体の接続部を接続する第１のホース体接続口が設けられ、本体の、電動送風機が発生する吸引風の排出側にホース体の接続部を接続する第２のホース体接続口が設けられ、制御手段は、ホース体の接続部が第１のホース体接続口あるいは第２のホース体接続口の何れに接続されても、入り切りスイッチの操作入力により電動送風機の駆動の入り切りを制御できるものである。
【手続補正９】
【補正対象書類名】明細書
【補正対象項目名】０００９
【補正方法】変更
【補正の内容】
【０００９】
【図１】本発明の実施の形態１に係る電気掃除機の概略構成を示す斜視図である。
【図２】本発明の実施の形態１に係る電気掃除機の本体の側面図である。
【図３】本発明の実施の形態１に係る電気掃除機の本体の中心を前後方向で切断し側面から見た断面図である。
【図４】本発明の実施の形態１に係る電気掃除機の本体を、図２に示す断面Ａ−Ａで切断した断面図である。
【図５】本発明の実施の形態１に係る電気掃除機の操作部の部分拡大図である。
【図６】（ａ）吸込み具を床面である被清掃面と対向する面側から見た図、（ｂ）吸込み具の上カバーを外した状態の斜視図である。
【図７】本発明の実施の形態１に係る電気掃除機の本体から集塵ユニットを少し引き出した状態を示す斜視図である。
【図８】（ａ）本発明の実施の形態１に係る電気掃除機の集塵ユニットを示す斜視図、（ｂ）本発明の実施の形態１に係る電気掃除機の集塵ユニットから集塵室を外した状態を示す斜視図である。
【図９】（ａ）本発明の実施の形態１に係る電気掃除機のホース体接続部を係止用フックの側から見た部分詳細図、（ｂ）本発明の実施の形態１に係る電気掃除機のホース体接続部を係止用フックが上側にあるときに側方から見た部分詳細図、（ｃ）本発明の実施の形態１に係る電気掃除機のホース体接続部を本体と連通する側から見た図である。
【図１０】本発明の実施の形態１に係る電気掃除機の本体の、図２に示すＢ方向から前側のホース体接続口（第１のホース体接続口）を見た図である。
【図１１】本発明の実施の形態１に係る電気掃除機本体の前側のホース体接続口（第１のホース体接続口）にホース体接続部を接続して係止用フックの箇所で切断し、係止用フック周辺を示す側面から見た拡大図である。
【図１２】第３の接続端子と第３の接続端子受けの結線（接続）状態の一例を示す模式断面図である。
【図１３】（ａ）本発明の実施の形態１に係る電気掃除機の本体を後側から見た図、（ｂ）図１３（ａ）において、カバー部材（排気口カバー）を開いて後側のホース体接続口（第２のホース体接続口）を見た図である。
【図１４】（ａ）本発明の実施の形態１に係る電気掃除機本体の後側のホース体接続口（第２のホース体接続口）にホース体接続部を接続する少し前の状態を示す斜視図、（ｂ）本発明の実施の形態１に係る電気掃除機本体の後側のホース体接続口（第２のホース体接続口）にホース体接続部を接続した状態を示す斜視図である。
【図１５】本発明の実施の形態１に係る電気掃除機本体の後側のホース体接続口（第２のホース体接続口）にホース体接続部を接続し、ホース体が取り付けられた状態を示す外観斜視図である。
【図１６】本発明の実施の形態１に係る電気掃除機本体の後側のホース体接続口（第２のホース体接続口）にホース体接続部を接続して検知手段が見える箇所で切断した、側面から見た断面図である。
【図１７】図１６の検知手段周辺を示す拡大図である。
【図１８】本発明の実施の形態１に係る電気掃除機本体の後側のホース体接続口（第２のホース体接続口）にホース体接続部を接続して係止用フックの箇所で切断した、係止用フック周辺を示す拡大図である。
【図１９】本発明の実施の形態１に係る電気掃除機の動作のフローチャートである。
【図２０】本発明の実施の形態２に係る電気掃除機の動作のフローチャートである。
【手続補正１０】
【補正対象書類名】明細書
【補正対象項目名】００１２
【補正方法】変更
【補正の内容】
【００１２】
吸込み具１は、図６（ｂ）に示すように外郭を射出成形で形成された硬質の樹脂部品の上ケース１ｂと下ケース１ｃで構成し、後述する電動送風機２３の駆動により発生する吸引風により、例えば床面である被清掃面にある塵埃を空気と一緒に吸引するものである。
【手続補正１１】
【補正対象書類名】明細書
【補正対象項目名】００１３
【補正方法】変更
【補正の内容】
【００１３】
図６（ａ）に示すように吸込み具１の、床面である被清掃面と対向する面側の下ケース１ｃには開口１ａが設けられており、吸込み具１内に、その開口１ａから一部が突出した回転ブラシ４１が回動可能に収容されている。
【手続補正１２】
【補正対象書類名】明細書
【補正対象項目名】００１４
【補正方法】変更
【補正の内容】
【００１４】
回転ブラシ４１は、被清掃面から塵埃をかきあげるように回転し、その回転の駆動力は、図６（ｂ）に示す、吸込み具１内に収容された回転ブラシ用電動機４２の回転力を、駆動ベルト４３を介して伝達される。
【手続補正１３】
【補正対象書類名】明細書
【補正対象項目名】００１９
【補正方法】変更
【補正の内容】
【００１９】
また、電機掃除機本体６の前側には、図２に示すように集塵ユニット８を収容する集塵ユニット収容部６ａが設けられている。集塵ユニット収容部６ａには第１のホース体接続口７が設けられ、一端が把持部３と接続されているホース体５の他端に設けられた接続部５ａを第１のホース体接続口７に挿入することで、ホース体５が電機掃除機本体６に接続される。
【手続補正１４】
【補正対象書類名】明細書
【補正対象項目名】００２８
【補正方法】変更
【補正の内容】
【００２８】
（集塵ユニットの構成）
図８に示すように、集塵ユニット８は、蓋部８ｃを備えた分離可能な旋回部３３と集塵ユニット上部８ｂと集塵室３２で構成されたサイクロン式の集塵ユニットである。集塵ユニット８の蓋部８ｃにはシールパッキン３９が取り付けされていて、このシールパッキン３９を集塵室３２の開口上部に挿入することで集塵室３２が閉塞される。
【手続補正１５】
【補正対象書類名】明細書
【補正対象項目名】００５８
【補正方法】変更
【補正の内容】
【００５８】
第２の接続端子受けは、図示しない接続線で制御基板２４の基準電位配線と接続されている。基準電位とは通常０Ｖであり、基準電位配線は、信号配線、電力配線との共通配線となっている。
【手続補正１６】
【補正対象書類名】明細書
【補正対象項目名】００７０
【補正方法】変更
【補正の内容】
【００７０】
図１８に示すように、係止用フック６１は接続部５ａが第２のホース体接続口８１に接続されたときに、第２のホース体接続口８１に設けられた係合部８１ｄと係合している。
【手続補正１７】
【補正対象書類名】明細書
【補正対象項目名】００７７
【補正方法】変更
【補正の内容】
【００７７】
第５の接続端子受けは、図示しない接続線で制御基板２４の基準電位（０Ｖ）配線と接続されている。第２の接続端子５２は操作部４の入り切りスイッチ４ａ、出力可変スイッチ４ｂ、回転ブラシ駆動スイッチ４ｃと接続されていて、第２の接続端子５２が第５の接続端子受けと接続されると、入り切りスイッチ４ａ、出力可変スイッチ４ｂ、回転ブラシ駆動スイッチ４ｃが制御基板２４の基準電位配線（第２の基準電位配線）と結線された状態となる。
【手続補正１８】
【補正対象書類名】明細書
【補正対象項目名】０１０７
【補正方法】変更
【補正の内容】
【０１０７】
以上のように構成したので、ホース体５の接続部５ａを第１のホース体接続口７、第２のホース体接続口８１の何れに接続しても操作部４の入り切りスイッチ４ａで電動送風機２３を駆動でき、送風機能として使用するときも電気掃除機１００として使用するときと同じ使い勝手を実現でき、使用者がとまどうことがなく利便性のよい送風機能を提供できる。
【手続補正１９】
【補正対象書類名】明細書
【補正対象項目名】０１０９
【補正方法】変更
【補正の内容】
【０１０９】
よって、ここでは本発明の実施の形態１に係る電気掃除機と異なる送風機能時の動作について図２０によって説明し、それ以外の説明は省略する。図２０は本発明の実施の形態２に係る電気掃除機の動作のフローチャートである。
【手続補正２０】
【補正対象書類名】明細書
【補正対象項目名】０１１３
【補正方法】変更
【補正の内容】
【０１１３】
ホース体５の接続部５ａが第１のホース体接続口７に接続されている場合、前述のように回転ブラシ用電動機４２へ電力が供給されるので、回転ブラシ駆動スイッチ４ｃが操作入力される（ＳＴ３９）と回転ブラシ４１が駆動を開始する（ＳＴ４０）。
【手続補正２１】
【補正対象書類名】明細書
【補正対象項目名】０１２１
【補正方法】変更
【補正の内容】
【０１２１】
以上のように構成したので、本発明の実施の形態１同様、ホース体５の接続部５ａを第１のホース体接続口７、第２のホース体接続口８１の何れに接続しても操作部４の入り切りスイッチ４ａで電動送風機２３を駆動でき、送風機能として使用するときも電気掃除機１００として使用するときと同じ使い勝手を実現でき、使用者がとまどうことがなく利便性のよい送風機能を提供できる。